(57)【要約】      （修正有）【課題】長尺の照明装置を所望の固定対象面に確実に取付け、固定できる固定器具を提供する。【解決手段】固定器具は、固定対象面２ｂに取り付けられる取付部１１と、照明装置１の取付面１Ｕに当接する当接部１３とを、間隔を置いて有する仲介部材１０並びにコイルバネ体２０から構成される。コイルバネ体２０は、仲介部材１０の取付部１１と当接部１３との間に配されたコイル部２１と、このコイル部２１の一端、他端にそれぞれ連続し、コイル部２１の軸と平行な方向から見て該コイル部２１から略Ｖ字状に延びるアーム部２２と、別のアーム部２３、２４とを有する。コイルバネ体２０の一方のアーム部２２を仲介部材１０の取付部１１に固定すると共に、他方のアーム部２３、２４を、仲介部材１０の当接部１３に取付面１Ｕが当接した照明装置１の照明面１Ｄを横切るようにして照明装置１に係止させる。【選択図】図６
2020119804.tif 000002
【特許請求の範囲】
【請求項１】
内部に発光源を収容した長尺の照明装置であって、長さ方向に延びた一側面に前記発光源からの光を透過する照明面を有し、該照明面と反対側の一側面に取付面を有する照明装置を、所望の固定対象面に固定する固定器具であって、
前記固定対象面に取り付けられる取付部と、前記照明装置の取付面に当接する当接部とを、間隔を置いて有する仲介部材と、
前記取付部と前記当接部との間に配されたコイル部と、このコイル部の一端、他端にそれぞれ連続し、コイル部の軸と平行な方向から見て該コイル部から略Ｖ字状に延びる２本のアーム部とからなるコイルバネ体とを備え、
前記コイルバネ体の一方のアーム部を前記仲介部材の取付部に固定するとともに、他方のアーム部を、前記仲介部材の当接部に前記取付面が当接した照明装置の前記照明面を横切るようにして照明装置に係止させて、前記コイルバネ体が前記照明装置を前記仲介部材に向けてバネの付勢力で押圧するように構成された照明装置の固定器具。
【請求項２】
前記照明装置が前記取付面またはその近傍に磁石を有するものである場合、前記仲介部材の当接部が前記磁石に吸着する材料から形成されている、
請求項１に記載の照明装置の固定器具。
【請求項３】
前記仲介部材が、
互いに間隔を置いて対向配置されて、それぞれが前記取付部と前記当接部との間で延びる第１の側板および第２の側板を有する、
請求項１または２に記載の照明装置の固定器具。
【請求項４】
前記取付部、前記当接部、前記第１の側板および前記第２の側板によって囲まれた空間内に、前記コイルバネ体のコイル部が配置されている、
請求項３に記載の照明装置の固定器具。
【請求項５】
前記コイルバネ体の他方のアーム部が先端近傍部分において折り曲げられ、この折り曲げられた部分が、前記仲介部材の当接部に前記取付面が当接した照明装置の前記照明面を横切るように構成されている、
請求項１から４いずれか１項に記載の照明装置の固定器具。
【請求項６】
前記固定対象面が、固定対象体の表面から堀り込まれた溝の底面である場合、前記仲介部材およびコイルバネ体が前記溝の中に配置可能な大きさとされている、
請求項１から５いずれか１項に記載の照明装置の固定器具。
【発明の詳細な説明】
【技術分野】
【０００１】
本発明は照明装置の固定器具、特に詳細には、内部に発光源を収容した長尺の照明装置を固定するための器具に関するものである。
【背景技術】
【０００２】
従来、例えば特許文献１に示されているように、発光源として複数のＬＥＤ素子を内部に並設、収容してなる長尺のコンパクトな照明装置が知られている。この種の照明装置は極めて小型、軽量に構成され得ることから、簡単な取付手段を適用して室内の天井や壁等に容易に取付け可能であって、非常に広範な場所・分野に適用されている。
【０００３】
上記の簡単な取付手段として具体的には、例えばＬＥＤ発光素子からの光が透過する照明面と反対側の一側面を取付面とし、この取付面に設けた磁石を、鋼材等からなる固定対象面に吸着、固定するようにしたものが従来知られている。このような簡単な取付手段を適用すれば、室内の天井や壁等に掘り込んだ細い溝内等にも照明装置を容易に配設可能となり、多彩な照明形態が実現される。
【先行技術文献】
【特許文献】
【０００４】
【特許文献１】特開２０１４−２０７１８２号公報
【発明の概要】
【発明が解決しようとする課題】
【０００５】
上述の磁石等からなる簡単な取付手段は、多彩な照明形態を実現する上で効果的なものであるが、長尺のコンパクトな照明装置の適用範囲をさらに拡大するために、この種の照明装置をより確実に取付け、固定できる手段が望まれている。そこで本発明は、長尺の照明装置を所望の固定対象面に確実に取付け、固定できる固定器具を提供することを目的とする。
【課題を解決するための手段】
【０００６】
本発明による照明装置の固定器具は、
内部に発光源を収容した長尺の照明装置であって、長さ方向に延びた一側面に発光源からの光を透過する照明面を有し、該照明面と反対側の一側面に取付面を有する照明装置を、所望の固定対象面に固定する固定器具であって、
固定対象面に取り付けられる取付部と、照明装置の取付面に当接する当接部とを、間隔を置いて有する仲介部材と、
上記取付部と当接部との間に配されたコイル部と、このコイル部の一端、他端にそれぞれ連続し、コイル部の軸と平行な方向から見て該コイル部から略Ｖ字状に延びる２本のアーム部とからなるコイルバネ体とを備え、
コイルバネ体の一方のアーム部を仲介部材の取付部に固定するとともに、他方のアーム部を、仲介部材の当接部に取付面が当接した照明装置の照明面を横切るようにして照明装置に係止させて、コイルバネ体が照明装置を仲介部材に向けてバネの付勢力で押圧するように構成された、
ことを特徴とするものである。
【０００７】
なお、本発明による照明装置の固定器具においては、
照明装置が取付面またはその近傍に磁石を有するものである場合、仲介部材の当接部が磁石に吸着する材料から形成されている、
ことが望ましい。
【０００８】
また、上記の仲介部材は、
互いに間隔を置いて対向配置されて、それぞれが取付部と当接部との間で延びる第１の側板および第２の側板を有する、
ことが望ましい。
【０００９】
また、本発明による照明装置の固定器具においては、
上記取付部、当接部、第１の側板および第２の側板によって囲まれた空間内に、コイルバネ体のコイル部が配置されている、
ことが望ましい。
【００１０】
また、本発明による照明装置の固定器具においては、
コイルバネ体の他方のアーム部が先端近傍部分において折り曲げられ、この折り曲げられた部分が、仲介部材の当接部に取付面が当接した照明装置の照明面を横切るように構成されている、
ことが望ましい。
【００１１】
さらに、本発明による照明装置の固定器具においては、
固定対象面が、前述したように固定対象体の表面から堀り込まれた溝の底面である場合、仲介部材およびコイルバネ体が上記溝の中に配置可能な大きさとされている、
ことが望ましい。
【発明の効果】
【００１２】
本発明の照明装置の固定器具は、上述した通り、
固定対象面に取り付けられる取付部と、照明装置の取付面に当接する当接部とを、間隔を置いて有する仲介部材と、
上記取付部と当接部との間に配されたコイル部と、このコイル部の一端、他端にそれぞれ連続し、コイル部の軸と平行な方向から見て該コイル部から略Ｖ字状に延びる２本のアーム部とからなるコイルバネ体とを備え、
コイルバネ体の一方のアーム部を仲介部材の取付部に固定するとともに、他方のアーム部を、仲介部材の当接部に取付面が当接した照明装置の照明面を横切るようにして照明装置に係止させて、コイルバネ体が照明装置を仲介部材に向けてバネの付勢力で押圧するように構成されているので、
この固定器具によれば、例えば照明装置の端部が不用意に押される等した場合でも、照明装置は係止部と係止しているので仲介部材から外れることがない。こうして本発明による照明装置の固定器具は、長尺の照明装置を所望の固定対象面に確実に取付け、固定できるものとなる。
【図面の簡単な説明】
【００１３】
【図１】本発明の一実施形態による照明装置の固定器具を示す斜視図
【図２】上記固定器具を示す正面図
【図３】上記固定器具を構成する仲介部材を示す斜視図
【図４】上記固定器具を構成するコイルバネ体を示す（ａ）平面図、（ｂ）側面図、および（ｃ）正面図
【図５】図１に示す照明装置を上方から見た状態を示す斜視図
【図６】上記固定器具により照明装置を固定する工程を説明する概略図
【図７】照明装置の別の例を上方から見た状態を示す斜視図
【発明を実施するための形態】
【００１４】
以下、図面を参照して本発明の実施形態について説明する。図１および図２はそれぞれ、本発明の一実施形態による照明装置の固定器具を示す斜視図および正面図である。これらの図は、照明装置１が一例として天井に取り付けられている状態を示している。本実施形態による固定器具は図２に示すように、仲介部材１０とコイルバネ体２０とを組み合わせて構成されている。
【００１５】
まず仲介部材１０について、図３を参照して説明する。この仲介部材１０は一例として一枚の鋼鈑を所定形状に切断し、それを折り曲げ加工して形成されたもので、概略長い直方体状の取付部１１と、この取付部１１から直角に折り曲げられた左側板（第１の側板）１２と、この左側板１２から直角に折り曲げられた当接部１３と、さらにこの当接部１３から直角に折り曲げられた右側板（第２の側板）１４とを有している。左側板１２、当接部１３および右側板１４は、互いに同じ長さとされ、内部に後述するコイルバネ体２０の一部を収め得るように、全体で概略「凹」字状の断面形状を有するように形成されている。取付部１１の図中上面、つまり左側板１２、当接部１３および右側板１４が有る側と反対側の表面１１ａは、平坦な面とされている。また取付部１１は、これらの左側板１２、当接部１３および右側板１４の各全長よりも長くて、長さ方向の両端部に張り出した形状とされ、それらの張り出した部分にはそれぞれ取付孔１１ｂ、１１ｃが設けられている。
【００１６】
一方コイルバネ体２０は、図４の（ａ）、（ｂ）および（ｃ）にそれぞれ平面形状、側面形状および正面形状を示す通り、一例として弾性部材である１本の鋼線を曲げ加工して形成されており、コイルバネ状に巻回されたコイル部２１と、このコイル部２１の一端から延びた取付部２２と、コイル部２１の他端から延びた連結部２３と、この連結部２３の先端部分を折り曲げて形成された係止部２４とを有している。上記取付部２２は本発明における一方のアーム部を構成し、上記連結部２３および係止部２４は本発明における他方のアーム部を構成している。上記一方のアーム部および他方のアーム部は、コイル部２１の軸と平行な方向から見た場合は図４の（ｂ）に示される通り、コイル部２１から略Ｖ字状に延びる状態となっている。以上の説明から明らかなように本発明における２つのアーム部は、各々、単純に直線状に延びるものに限らず、一部が折れ曲がっているような形状とされたものも含むものである。
【００１７】
上記取付部２２の先端部は環状に曲げられて、取付環部２２ａとされている。上記連結部２３は平面視状態では、コイル部２１からの取付部２２の延出方向と反対側に延ばされているが、直ぐに逆方向に延びるように屈曲されている。この屈曲部２３ａから係止部２４に至るまでの間の連結部２３は、側面視状態では図４の（ｂ）に示されるように、コイル部２１から離れるにつれて取付部２２からより遠くなる向きに傾斜している。上記他方のアーム部の先端近傍に形成された係止部２４は同図の（ａ）に示されている通り、平面視状態で取付部２２と交差するように、連結部２３から折り曲げられている。そしてこの係止部２４の先端部は、取付部２２に近付く方向に折り曲げられ、その終端部分２４ａは環状に曲げられている。
【００１８】
次に図５を参照して、照明装置１について説明する。この照明装置１は、例えば光透過性の長尺の筐体１ａ内に、発光源である複数のＬＥＤ発光素子１ｂが複数、筐体１ａの長さ方向に並設されてなるものである。筐体１ａはより具体的には概略細長い直方体状に形成されており、その長さ方向に延びる側面のうちの一つ、つまり図中の下側面は、ＬＥＤ発光素子１ｂからの光を透過する照明面１Ｄとされている。また、この照明面１Ｄと反対側の一側面、つまり図中の上側面は取付面１Ｕとされている。そして照明装置１の上部には、取付けのための磁石Ｍが固定されている。この磁石Ｍは概略薄い直方体状とされ、その上面が取付面１Ｕと面一となる状態に配設されている。
【００１９】
図５中の４および５は、複数のＬＥＤ発光素子１ｂに接続するコードであり、それらのコード４および５と、コード４に接続するコネクタ３４およびコード５に接続するコネクタ３５とを介してＬＥＤ発光素子１ｂに給電がなされる。また、例えば１つの照明装置１のコネクタ３４と、別の照明装置１のコネクタ３５とを接続して、複数の照明装置１に給電することも可能である。
【００２０】
なお図５において、照明装置１が有する基板等は省略している。また、同図では照明装置１に対する仲介部材１０の相対位置も併せて示しているが、この仲介部材１０の取付け用ビス３については、実際用いられる２個のうちの一方、すなわち手前側のものだけを示し、他方のビス３、すなわち奥側のものは省略している。これらのビス３に関しては、後に詳しく説明する。照明装置１としては、発光源として複数のＬＥＤ発光素子１ｂを有するものに限らず、その他の発光源を有する照明装置に対しても本発明の固定器具は適用可能である。
【００２１】
上に述べた仲介部材１０およびコイルバネ体２０からなる本実施形態の固定器具は、照明装置１を例えば天井に取付け、固定するために、以下のようにして使用される。なおここでは図１と図２に示すように、固定対象体である天井２には、照明装置１の幅より僅かに大きい幅の堀込み溝が設けられていて、照明装置１はその溝の中に固定されるものとする。なお図２には、上記掘込み溝の縦壁面、上底面をそれぞれ２ａ、２ｂとして示しており、上底面２ｂが照明装置１の固定対象面となる。そして仲介部材１０およびコイルバネ体２０は、縦壁面２ａおよび上底面２ｂによって画成された溝の内部に配置可能な大きさとされている。
【００２２】
以下、照明装置１を取付け、固定する方法について、図６の概略図も参照しながら作業順を追って説明する。なお、この図６において（１）には、仲介部材１０およびコイルバネ体２０の側面形状を示し、（２）、（３）および（４）ではそれら並びに周辺構造の側面形状を右側に、正面形状を左側に示している。照明装置１の取付け、固定に際しては、図６（１）に示すように、まず仲介部材１０とコイルバネ体２０とが組み合わされる。すなわちコイルバネ体２０は、仲介部材１０の左側板１２、当接部１３および右側板１４によって囲まれた空間内にコイル部２１が位置し、また取付部２２が（したがってその取付環部２２ａも）仲介部材１０の取付部１１に下から接する状態となるように、仲介部材１０と組み合わされる。そしてこの状態下で上記取付環部２２ａの中央の孔部分が、取付部１１の２つの取付孔１１ｂ、１１ｃの一方（例えば取付孔１１ｃ）と整合するように、コイルバネ体２０の位置が微調整される。このようにすると、連結部２３の屈曲部２３ａが仲介部材１０の左側板１２の端部を挟む状態となって、コイルバネ体２０の幅方向位置、つまり図２における左右方向位置が規定される。このとき、コイルバネ体２０の連結部２３は、仲介部材１０の左側板１２の外側に有り、またコイルバネ体２０の係止部２４は、仲介部材１０の当接部１３よりも下の位置に有る。
【００２３】
次いで、取付環部２２ａの孔部分から取付孔１１ｃにビス３が通され、また取付部１１の他方の取付孔１１ｂにもビス３が通されて、それらのビス３が上底面２ｂに締め付けられる（図６（２）参照）。それにより取付部１１は、その平坦な表面１１ａが上記上底面２ｂに接した状態で、上底面２ｂに固定される。またそれと共に、コイルバネ体２０の取付部２２が、仲介部材１０の取付部１１に固定される。
【００２４】
上述のようにして取付部１１が、つまりは仲介部材１０が上底面２ｂに固定された後、図６（３）の右の図に矢印で示すようにコイルバネ体２０の連結部２３および係止部２４が、コイル部２１による付勢力に抗しつつ押し下げられる。この状態になった後、図６（３）の左の図に示すように、照明装置１が係止部２４の上を通して仲介部材１０の下方に配される。ここで上記の付勢力は、コイルバネ体２０の連結部２３が押し下げられて、コイル部２１に巻回を解く向きの力が加わることにより、弾性部材からなるコイル部２１が収縮して発生するものである。
【００２５】
次いで照明装置１は、図６（４）に示すように、つまり、その取付面１Ｕが仲介部材１０の当接部１３に当接するように該仲介部材１０に押し当てられる。この状態になると照明装置１は、その磁石Ｍが、鋼鈑からなる当接部１３に（より詳しくはその表面１３ａに）磁力で吸着して仲介部材１０に保持される。そして、コイルバネ体２０の押し下げられていた連結部２３および係止部２４が解放されると、係止部２４は照明面１Ｄを横切る状態で照明装置１に係止する。
【００２６】
この状態になると係止部２４が、コイル部２１の付勢力により照明装置１を仲介部材１０に押圧するので、照明装置１は仲介部材１０を介して前記上底面２ｂに確実に取付け、固定される。つまり、例えば照明装置１の端部が不用意に押される等により、万一上記の磁力による吸着が瞬間的に解かれたりしても、照明装置１は係止部２４と係止しているので仲介部材１０から外れることがなく、直ぐに磁力による吸着状態に復帰する。
【００２７】
また仲介部材１０とコイルバネ体２０との組からなる本実施形態の固定器具は、細い掘込み溝の中に配置可能に構成されているので、非常に多彩な照明形態を実現できるものとなる。
【００２８】
以上、照明装置１が掘込み溝の中に配されて、この溝の上底面２ｂに固定される場合を例に取って説明したが、本発明による照明装置の固定器具は、そのような場合に限らず、例えば図１および図２に示す天井２の表面部分や、天井以外の固定対象体つまり鉛直方向に延びる壁等に照明装置を固定するために適用することも可能である。さらに本発明による照明装置の固定器具は、仲介部材１０の当接部１３に磁力で吸着し得るように構成された照明装置１に限らず、磁石Ｍのような磁力吸着手段は備えない照明装置を固定するために適用することも可能である。
【００２９】
また、例えば先に図５を参照して説明したように１つの照明装置１のコネクタ３４と、別の照明装置１のコネクタ３５とを接続する等により複数の照明装置１を使用する場合は、仲介部材１０とコイルバネ体２０との組からなる固定器具を各照明装置１毎に設けて、合計で複数の照明装置１を固定するために適用することも可能である。
【００３０】
さらに、仲介部材１０とコイルバネ体２０との組からなる固定器具は、そのような組を複数用意して、特に長尺の１つの照明装置を固定するために適用することも可能である。以下図７を参照して、その場合について簡単に説明する。なおこの図７において、先に説明した図５中のものと同等の要素には同番号を付してあり、それらについての説明は、特に必要の無い限り省略する。
【００３１】
図７に示す照明装置１０１は、図５に示した照明装置１と比較してより長く形成されたものであり、その上部には、取付けのための磁石Ｍが照明装置の長さ方向に亘って互いに間隔を置いて複数（本例では２個）配置されている。そして、仲介部材１０とコイルバネ体２０との組からなる固定器具は、複数の磁石Ｍに各々対応させて、合計で複数用いられる。この場合も、各固定器具による照明装置１０１の取付け、固定は、先に図１、２および６を参照して説明したのと同様にしてなされ得る。
【符号の説明】
【００３２】
１、１０１    照明装置
１ａ    照明装置の筐体
１ｂ    ＬＥＤ発光素子
１Ｄ    照明装置の照明面
１Ｕ    照明装置の取付面
２ａ    溝の縦壁面
２ｂ    溝の上底面（固定対象面）
３      ビス
１０    仲介部材
１１    仲介部材の取付部
１２    仲介部材の左側板
１３    仲介部材の当接部
１４    仲介部材の右側板
２０    コイルバネ体
２１    コイルバネ体のコイル部
２２    コイルバネ体の取付部
２３    コイルバネ体の連結部
２４    コイルバネ体の係止部
【図１】
2020119804.tif 000003
【図２】
2020119804.tif 000004
【図３】
2020119804.tif 000005
【図４】
2020119804.tif 000006
【図５】
2020119804.tif 000007
【図６】
2020119804.tif 000008
【図７】
2020119804.tif 000009